(57)【特許請求の範囲】
【請求項１】
シーラー本体（２）に、チューブ挿入口（５）を二箇所形成し、
前記それぞれのチューブ挿入口（５）の両側に可動電極（４Ａ）と固定電極（４Ｂ）をそれぞれ対向して配置し、
前記シーラー本体（２）に、起動スイッチ（７）と、リモートモードまたはローカルモードに設定できるセレクタスイッチ（８）を配置し、
前記固定電極（４Ｂ）は、超音波ホーンより構成され、前記可動電極（４Ａ）は前記超音波ホーンの受け台より構成され、
前記可動電極（４Ａ）は、前記チューブ挿入口（５）に挿入したチューブの長さ方向に沿って、左右に開閉可能な二つの部材より構成され、当該可動電極（４Ａ）の前方部は、前記固定電極（４Ｂ）側に向けて先細りに形成され、
前記可動電極（４Ａ）の二つの部材の間に、前記チューブの切断刃（２５）を配置し、
前記シーラー本体（２）内に、前記可動電極（４Ａ）を前記固定電極（４Ｂ）方向へ移動させる第一の駆動手段（２８Ａ）と、前記切断刃（２５）を前記固定電極（４Ｂ）方向へ移動させるとともに前記切断刃（２５）を前記可動手段（４Ａ）の二つの部材の間から突出させる第二の駆動手段（２８Ｂ）を配置し、
前記シーラー本体（２）内に、前記起動スイッチ（７）の入力、前記セレクタスイッチ（８）の設定、前記第一の駆動手段（２８Ａ）及び前記第二の駆動手段（２８Ｂ）の駆動制御部（３）を配置し、
前記可動電極（４Ａ）を前記固定電極（４Ｂ）方向に移動させることにより、当該可動電極（４Ａ）と当該固定電極（４Ｂ）によりチューブを挟持し、当該固定電極（４Ｂ）より超音波を発振させることによりチューブを溶着し、
前記切断刃（２５）を、前記固定電極（４Ｂ）方向へ移動させることにより、前記可動電極（４Ａ）の二つの部材が左右に開いて、前記切断刃（２５）が突出して、チューブの溶着部を切断できるようにしたことを特徴とする超音波チューブシーラー（１）。
【請求項２】
前記シーラー本体（２）内に、前記可動電極（４Ａ）と前記切断刃（２５）を装着する治具（２１）が配置され、
当該治具（２１）は、内枠（２２）と外枠（２３）を有し、
当該内枠（２２）内に、前記チューブ挿入口（５）に挿入したチューブの長さ方向に沿って伸びる第一のロッド（２４）が装着され、
当該第一のロッド（２４）に前記可動電極（４Ａ）の後方部が装着され、
前記内枠（２２）内の前記チューブと反対側の端部に、前記切断刃（２５）を植設した刃基（２６）が装着され、
前記内枠（２２）外に、前記第一の駆動手段（２８Ａ）が装着され、
前記刃基（２６）の後方部でかつ、前記外枠（２３）内には、前記チューブの長さ方向と交わる方向に伸びる第二のロッド（２７）が装置され、
当該第二のロッド（２７）の後方でかつ前記外枠（２３）外に、前記第二の駆動手段（２８Ｂ）が装着され、
当該第二の駆動手段（２８Ｂ）は、前記刃基（２６）の後方に、前記第二のロッド（２７）を介して装着した、ことを特徴とする請求項１に記載の超音波チューブシーラー（１）。
【請求項３】
前記シーラー本体（２）内部に、補助電源（１５）を配置したことを特徴とする請求項１または請求項２に記載の超音波チューブシーラー（１）。
【請求項４】
一方の端部を透析器（６８）の血液入口に接続しかつ他方の端部を動脈側シャント（６１）に接続した動脈側血液回路（５４）と、
一方の端部を透析器（６８）の血液出口に接続しかつ他方の端部を静脈側シャント（６２）に接続した静脈側血液回路（５５）を有し、
前記動脈側血液回路（５４）及び前記静脈側血液回路（５５）の途中に、請求項１から請求項３のいずれか一項に記載の前記超音波チューブシーラー（１）を装着し、
次の（Ａ）から（Ｅ）のいずれかの手段により超音波チューブシーラー（１）を駆動させて前記動脈側血液回路（５４）及び前記静脈側血液回路（５５）をシール切断できるようにしたことを特徴とする回路切断装置（５１）。
（手段Ａ）前記超音波チューブシーラー（１）のセレクタスイッチ（８）をリモートモードまたはローカルモードに設定し、超音波チューブシーラー（１）に設けた起動スイッチ（７）を操作する手段、
（手段Ｂ）前記超音波チューブシーラー（１）のセレクタスイッチ（８）をリモートモードまたはローカルモードに設定し、リモコンに設けた起動スイッチ（７）を操作する手段、
（手段Ｃ）前記超音波チューブシーラー（１）のセレクタスイッチ（８）をリモートモードまたはローカルモードに設定し、透析機械（５３）に設けた起動スイッチ（７）を操作する手段、
（手段Ｄ）前記超音波チューブシーラー（１）のセレクタスイッチ（８）をローカルモードに設定し、透析患者用ベッド（６７）に設けた起動スイッチ（７）を操作する手段、
（手段Ｅ）前記超音波チューブシーラー（１）のセレクタスイッチ（８）をリモートモードに設定し、超音波チューブシーラー（１）を、起動信号ケーブル（６３）を介してナースカウンタ（６４）または集中管理できる部屋に接続し、ナースカウンタ（６４）または集中管理できる部屋に設けた起動スイッチ（７）により操作する手段、
【発明の詳細な説明】
【０００１】
【発明の属する技術分野】
本発明は、血液透析、血漿交換等の体液体外循環の治療中に、火災、地震等の緊急時並びに機器のトラブル、患者個々の事情が生じ余儀なく治療を一時中断する場合やあるいは透析終了後、体外循環回路中に残った血液を患者に返血した後に、体外循環回路と患者との離脱を行うことができるようにした超音波チューブシーラー並びに回路切断装置に関するものである。
【０００２】
【従来の技術及び発明が解決しようとする課題】
現在、緊急時に体外循環回路を患者から離脱する方法として動脈側血液回路と静脈側血液回路のそれぞれ二箇所を外からクランプし、この中間点をハサミ等で切断し離脱する方法が一般的に行われている。
【０００３】
しかしながらこれらの方法では次の課題が指摘されている。
（Ａ）体外循環回路がつながっている手は利き手の場合もあるため、利き手でない手でハサミを使い、体外循環回路を切断しなければならないので、容易に回路を切ることができない。
（Ｂ）透析患者は社会復帰をしている比較的元気な患者ばかりでなく、高齢者、また障害者、痴呆患者等自分の意志でクランパーをはめ込んだり、鉗子をかけ、ハサミを使い体外循環回路を切断するという行動をとれない人がいる。
（Ｃ）体外循環回路を切ることができたとしても切り口から血液が漏れてしまう。また切り口から患者側の回路においてクランプがしてあってもオープンの状態なので病原微生物の汚染も考えられ、床に落ちた血液で避難路が滑りやすくなるため血液が漏れないほうが好ましい。
（Ｄ）（Ｂ）の弱者を離脱させるためには透析スタッフが患者のベッドサイドに出向いて、回路を切断しなければならず、スタッフの人数や患者の人数により災害時の即時対応は無理が生じる。
【０００４】
また出願人は特開２０００−１４００９６号で高周波誘電加熱装置のチューブシーラーの発明を開示したが、チューブを溶着する際にチューブ内の液体（血液）を介して電波漏洩のおそれがあるため、シール電極の片側あるいは両側にチューブの一時的なクランプをわざわざ設置しなければならなかった。
これらのクランプ等の設置は、よりコンパクトなチューブシーラーの設計上、必ずしも望ましいものではなかった。
そこで本発明者らは以上の課題を解決するために鋭意検討を重ねた結果次の発明に到達した。
【０００５】
［１］本発明は、シーラー本体（２）に、チューブ挿入口（５）を二箇所形成し、
前記それぞれのチューブ挿入口（５）の両側に可動電極（４Ａ）と固定電極（４Ｂ）をそれぞれ対向して配置し、
前記シーラー本体（２）に、起動スイッチ（７）と、リモートモードまたはローカルモードに設定できるセレクタスイッチ（８）を配置し、
前記固定電極（４Ｂ）は、超音波ホーンより構成され、前記可動電極（４Ａ）は前記超音波ホーンの受け台より構成され、
前記可動電極（４Ａ）は、前記チューブ挿入口（５）に挿入したチューブの長さ方向に沿って、左右に開閉可能な二つの部材より構成され、当該可動電極（４Ａ）の前方部は、前記固定電極（４Ｂ）側に向けて先細りに形成され、
前記可動電極（４Ａ）の二つの部材の間に、前記チューブの切断刃（２５）を配置し、
前記シーラー本体（２）内に、前記可動電極（４Ａ）を前記固定電極（４Ｂ）方向へ移動させる第一の駆動手段（２８Ａ）と、前記切断刃（２５）を前記固定電極（４Ｂ）方向へ移動させるとともに前記切断刃（２５）を前記可動手段（４Ａ）の二つの部材の間から突出させる第二の駆動手段（２８Ｂ）を配置し、
前記シーラー本体（２）内に、前記起動スイッチ（７）の入力、前記セレクタスイッチ（８）の設定、前記第一の駆動手段（２８Ａ）及び前記第二の駆動手段（２８Ｂ）の駆動制御部（３）を配置し、
前記可動電極（４Ａ）を前記固定電極（４Ｂ）方向に移動させることにより、当該可動電極（４Ａ）と当該固定電極（４Ｂ）によりチューブを挟持し、当該固定電極（４Ｂ）より超音波を発振させることによりチューブを溶着し、
前記切断刃（２５）を、前記固定電極（４Ｂ）方向へ移動させることにより、前記可動電極（４Ａ）の二つの部材が左右に開いて、前記切断刃（２５）が突出して、チューブの溶着部を切断できるようにした、超音波チューブシーラー（１）を提供する。
［２］本発明は、前記シーラー本体（２）内に、前記可動電極（４Ａ）と前記切断刃（２５）を装着する治具（２１）が配置され、
当該治具（２１）は、内枠（２２）と外枠（２３）を有し、
当該内枠（２２）内に、前記チューブ挿入口（５）に挿入したチューブの長さ方向に沿って伸びる第一のロッド（２４）が装着され、
当該第一のロッド（２４）に前記可動電極（４Ａ）の後方部が装着され、
前記内枠（２２）内の前記チューブと反対側の端部に、前記切断刃（２５）を植設した刃基（２６）が装着され、
前記内枠（２２）外に、前記第一の駆動手段（２８Ａ）が装着され、
前記刃基（２６）の後方部でかつ、前記外枠（２３）内には、前記チューブの長さ方向と交わる方向に伸びる第二のロッド（２７）が装置され、
当該第二のロッド（２７）の後方でかつ前記外枠（２３）外に、前記第二の駆動手段（２８Ｂ）が装着され、
当該第二の駆動手段（２８Ｂ）は、前記刃基（２６）の後方に、前記第二のロッド（２７）を介して装着した、［１］に記載の超音波チューブシーラー（１）を提供する。
［３］本発明は、前記シーラー本体（２）内部に、補助電源（１５）を配置した、［１］または［２］に記載の超音波チューブシーラー（１）を提供する。
［４］本発明は、一方の端部を透析器（６８）の血液入口に接続しかつ他方の端部を動脈側シャント（６１）に接続した動脈側血液回路（５４）と、
一方の端部を透析器（６８）の血液出口に接続しかつ他方の端部を静脈側シャント（６２）に接続した静脈側血液回路（５５）を有し、
前記動脈側血液回路（５４）及び前記静脈側血液回路（５５）の途中に、［１］から［３］のいずれか一項に記載の前記超音波チューブシーラー（１）を装着し、
次の（Ａ）から（Ｅ）のいずれかの手段により超音波チューブシーラー（１）を駆動させて前記動脈側血液回路（５４）及び前記静脈側血液回路（５５）をシール切断できるようにしたことを特徴とする回路切断装置（５１）。
（手段Ａ）前記超音波チューブシーラー（１）のセレクタスイッチ（８）をリモートモードまたはローカルモードに設定し、超音波チューブシーラー（１）に設けた起動スイッチ（７）を操作する手段、
（手段Ｂ）前記超音波チューブシーラー（１）のセレクタスイッチ（８）をリモートモードまたはローカルモードに設定し、リモコンに設けた起動スイッチ（７）を操作する手段、
（手段Ｃ）前記超音波チューブシーラー（１）のセレクタスイッチ（８）をリモートモードまたはローカルモードに設定し、透析機械（５３）に設けた起動スイッチ（７）を操作する手段、
（手段Ｄ）前記超音波チューブシーラー（１）のセレクタスイッチ（８）をローカルモードに設定し、透析患者用ベッド（６７）に設けた起動スイッチ（７）を操作する手段、
（手段Ｅ）前記超音波チューブシーラー（１）のセレクタスイッチ（８）をリモートモードに設定し、超音波チューブシーラー（１）を、起動信号ケーブル（６３）を介してナースカウンタ（６４）または集中管理できる部屋に接続し、ナースカウンタ（６４）または集中管理できる部屋に設けた起動スイッチ（７）により操作する手段、
【０００６】
【発明の実施の形態】
図１は本発明の超音波チューブシーラー１の正面図、図２は図１の天面図、図３は図１の右側面図、図４は図１の左側面図、図５は図１のチューブ挿入口付近の拡大図、図６、図７、図８は超音波チューブシーラー１のシール電極４付近の拡大図（（Ａ）は側面図、（Ｂ）は平面図）（図６はチューブをセットした状態、図７はチューブのシール中の状態、図８はチューブをシール後、切断する状態）、図９は本発明の超音波チューブシーラー１のブロック図である。
本発明の超音波チューブシーラー１は、（Ａ）可動電極４Ａと固定電極４Ｂからなるチューブのシール手段と、（Ｂ）前記可動電極４Ａに装着されるチューブの切断手段と、（Ｃ）前記可動電極４Ａとチューブの切断手段の駆動手段と、（Ｄ）シールモードの選択手段と、（Ｅ）前記（Ａ）から（Ｄ）の各手段の駆動制御部３を備える。
本発明の超音波チューブシーラー１では、例えば前記（Ａ）のチューブのシール手段はシール電極４であり、前記（Ｂ）のチューブの切断手段は切断刃２５であり、前記（Ｃ）の可動電極４Ａと固定電極４Ｂの駆動手段は、可動手段４Ａを固定手段４Ｂ方向へ移動させる第一の駆動手段２８Ａと、切断刃２５を固定電極４Ｂ方向へ移動させるとともに切断刃２５を可動手段４Ａから突出させる第二の駆動手段２８Ｂであり、前記（Ｄ）のシールモードの選択手段はリモートモードまたはローカルモードに設定可能なセレクタスイッチ８である。
超音波チューブシーラー１はシーラー本体２内に駆動制御部３を配置し、シーラー本体２の天面に天面パネル２Ａを配置し、該天面パネル２Ａにチューブ挿入口５をシーラー本体２の横方向に沿って平行に二箇所形成し、前記それぞれのチューブ挿入口５の両側に可動電極４Ａと固定電極４Ｂからなるシール電極４を配置している。前記それぞれのシール電極４に対応するシール表示灯６をシーラー本体２の天面に二箇所配置し、シーラー本体２の側面に起動スイッチ７と、リモートモードまたはローカルモードに設定できるセレクタスイッチ８を配置している。
起動スイッチ７を押すことにより、それぞれのシール電極４に対応するシール表示灯６が点灯し、シール電極４が通電されている状態を容易に確認することができる。
また図1の超音波チューブシーラー１ではシーラー本体２の底部に配置した電源コネクタ９に電源コード９Ｃを介してＡＣ電源より電源をとるようにしているが、必要によりシーラー本体２は内部に補助電源１５を配置することができる。
【０００７】
本発明のシール電極４は、固定電極４Ｂが超音波を発振する超音波ホーンで、可動電極４Ａが受台（アンビルともいう）である。図６のように可動電極４Ａは固定電極４Ｂ側へ向けて先細りに形成され、鳥のくちばしのように左右に開閉できるように二つの部材から構成されている。
可動電極４Ａはチューブの切断刃２５とともに次のように治具２１（第一のロッド２４と第一の駆動手段２８Ａを装着した内枠２２と第二の駆動手段２８Ｂを装着した外枠２３より構成される）に装着される。
図６のように可動電極４Ａは内枠２２の第一のロッド２４に装着され、シリンダまたはソレノイド等の第一の駆動手段２８Ａにより図７のように固定電極４Ｂ方向に移動させて可動電極４Ａとともにチューブを挟持したり、駆動手段２８Ｂにより図６と図８のように二つの部材を開閉できるように制御することができる。
さらに可動電極４Ａの二つの部材の内側には図６のようにチューブの切断刃２５が配置されている。
切断刃２５は刃基２６に植設され、刃基２６の後方に第二のロッド２７を介して、前記第二の駆動手段２８Ｂに接続し、これらの第二の駆動手段２８Ｂにより図８のように前記可動電極４Ａの開いた二つの部材の間から、固定手段４Ｂ方向に移動（突出）させて、溶着した後のチューブを切断するように制御することができる。
【０００８】
以上の本発明の超音波チューブシーラー１のシール電極４によるチューブのシール、切断方法の原理の一例を要約すると次の通りである。
（１）チューブ挿入口５にチューブを装着し、図６のように固定電極４Ｂと可動電極４Ａの間に配置する。
（２）第一の駆動手段２８Ａにより可動電極４Ａを固定電極４Ｂ方向へ移動させ、図７のようにチューブを可動電極４Ａと固定電極４Ｂで挟持する。
（３）固定電極４Ｂから超音波を発振させ、チューブを溶着する。
（４）第二の駆動手段２８Ｂにより切断刃２５を固定電極４Ｂ方向へ移動させるとともに切断刃２５を可動電極４Ａの二つの部材の間から突出させ、チューブの溶着部を切断する。
【０００９】
切断刃２５の先端は鋭利な刃面状に形成されている。「鋭利な刃面状」とは図示したものに限定されず、要するに溶着箇所からチューブを切断できる形状であれば何でも良い。
また可動電極４Ａと切断刃２５の駆動制御は前記のものに限定されず、チューブを溶着すると同時にまたはチューブを溶着した後に、該溶着箇所からチューブを切断できるように駆動制御部３により制御される。
本発明の超音波チューブシーラー１では図９のブロック図に示すように駆動制御部により、セレクタスイッチ８の設定から起動スイッチ７の入力、シール表示灯６の点灯並びに第一の駆動手段２８Ａ、第二の駆動手段２８Ｂによる可動電極４Ａと切断刃２５の駆動等全てに亘って制御することができる。
さらに本発明の超音波チューブシーラー１を詳述すると、前記それぞれの可動電極４Ａの天面に、透明カバー１０が配置され、前記それぞれのチューブ挿入口５の両側部にチューブの識別標識１１が配置されている。チューブの識別標識１１は、例えばラバーマグネット等が使用され、各々、赤、青に着色されていて溶着（装着）されるチューブが動脈側（赤色）であるのか静脈側（青色）であるのかが判別できるようになっている。
またシーラー本体２の底部側面には取付金具１２と固定金具１３がそれぞれ二箇所装着され、取付金具１２の底部に固定ネジ１４が装着されている。

【００１０】
図１０は図１の超音波チューブシーラー１を装着して使用する本発明の回路切断装置５１の概略図で、図１１は図１０のチューブシーラー付近の拡大図である。
本発明の回路切断装置５１は、一方の端部を透析機械５３に装着した透析器の血液入口に接続しかつ他方の端部を動脈側シャント６１に接続した動脈側血液回路５４並びに一方の端部を透析機械５３に装着した透析器の血液出口に接続しかつ他方の端部を静脈側シャント６２に接続した静脈側血液回路５５の途中に超音波チューブシーラー１を装着することにより構成される。
超音波チューブシーラー１のセレクタスイッチ８をリモートモードに設定した場合は、例えばナースカウンタ６４（または集中管理室）、リモコン（図示せず）、透析機械５３等に設けた起動スイッチ７を操作して遠隔操作により、全ての透析患者用ベッド６７において動脈側血液回路５４及び静脈側血液回路５５をシール遮断するようにすることができる。さらに詳述すれば超音波チューブシーラー１を起動信号ケーブル６３を介してナースカウンタ６４に接続し、ナースカウンタ６４に設けた起動スイッチ７によりシール電極４をナースカウンタ６４により遠隔操作することができる。また起動スイッチ７はナースカウンタのみでなくその他集中管理室の壁などに配置して遠隔操作することができる。
他方、セレクタスイッチ８をローカルモードに設定した場合、例えば透析患者用ベッド６７に設けた起動スイッチ７を操作することにより、各々の透析患者用ベッド６７において動脈側血液回路５４及び静脈側血液回路５５を同時にシール遮断するようにすることもできるし、透析終了後、動脈側血液回路５４側のみを先にシールし、患者に血液を返還した後、静脈側血液回路５５側をシールするようにすることもできる。
【００１１】
本発明の超音波チューブシーラー１の外観の形状は図示したものに限定されず透析機械５３または透析患者用ベッド６７の一部に備え付けられ、あるいは使用時に動脈側血液回路５４及び静脈側血液回路５５の外周に装着できる形状であればどのような形状でも採用することができる。
【００１２】
さらに超音波チューブシーラー１のセレクタスイッチ８をリモートモードまたはローカルモードに設定し、超音波チューブシーラー１のシール電極４の起動スイッチ７と信号発信部（図示せず）を、リモコン（図示せず）、透析機械５３、透析患者用ベッド６７に配置し、駆動信号を超音波チューブシーラー１に送信できるようにし、他方超音波チューブシーラー１にこれらの駆動信号の受信部（図示せず）を設けることにより、透析患者、透析作業者、ナース等の誰からでも駆動させることができる。
また超音波チューブシーラー１のセレクタスイッチ８をリモートモードまたはローカルモードに設定し、前記リモコン（図示せず）、透析機械５３、透析患者用ベッド６７に信号発信部（図示せず）及び超音波チューブシーラー１に駆動信号の受信部（図示せず）をそれぞれ設ける代わりに、リモコン（図示せず）、透析機械５３、透析患者用ベッド６７と超音波チューブシーラー１をそれぞれコードで接続してリモコン、透析機械５３、透析患者用ベッド６７に配置した起動スイッチ７を操作することにより超音波チューブシーラー１のシール電極４を駆動させることができる。
【００１３】
また補助電源１５として例えばバッテリ、コンデンサー等を配置することにより、仮に停電した時にも補助電源１５により最低１回以上は超音波チューブシーラー１を作動させて動脈側血液回路５４及び静脈側血液回路５５をシール切断することができる。
また補助電源１５も前記起動スイッチ７と同様にリモコン（図示せず）、透析機械５３、透析患者用ベッド６７に配置し、起動スイッチ７と同様に超音波チューブシーラー１から離れた位置から操作することができる。
【００１４】
次に本発明の超音波チューブシーラー１と回路切断装置５１の操作方法の一例について説明する。
（請求項４に記載の手段（Ａ）の場合）
体外循環の途中に透析室に火災等が発生した場合は、超音波チューブシーラー１のセレクタスイッチ８をリモートモードまたはローカルモードに設定し、透析患者は超音波チューブシーラー１に設けた起動スイッチ７を押して超音波チューブシーラー１のシール電極４を駆動させて動脈側血液回路５４及び静脈側血液回路５５の途中をシール切断し速やかに透析室より退室することができる。
（請求項４に記載の手段（Ｅ）の場合）
また超音波チューブシーラー１のセレクタスイッチ８をリモートモードに設定し、透析室の火災等の情報を得たナースカウンタ６４のナースまたは現場責任者もしくは担当者もしくは指示を受けた者はナースカウンタ６４または集中管理できる部屋に設けた起動スイッチ７を押して前記と同様に動脈側血液回路５４及び静脈側血液回路５５の途中をシール切断し、患者を透析機械５３と切り離して速やかに透析室から退室させることができる。
なお請求項８に記載の手段（Ｂ）から（Ｄ）の場合も操作方法は実質的に前記（Ａ）、（Ｅ）と同じであるから詳細な説明は省略する。
【００１５】
【発明の作用効果】
（１）セレクタスイッチ８をリモートモードに設定することにより動脈側血液回路５４及び静脈側血液回路５５のシールを複数の透析患者用ベッド６７ごとまとめて行うことができる。またセレクタスイッチ８をローカルモードに設定することにより、各透析患者用ベッド６７ごとに透析終了後に動脈側血液回路５４をシールし、体外循環回路中に残った血液を患者に返血した後、静脈側血液回路５５のシールを行うことができる。以上のように起動スイッチ８のリモートモードまたはローカルモードの設定を選択することにより、動脈側血液回路５４及び静脈側血液回路５５のシール手段を選択できる。
（２）可動電極４Ａにより動脈側血液回路５４及び静脈側血液回路５５を構成するチューブを溶着すると同時にまたはチューブを溶着した後に、該溶着箇所からチューブを確実に切断することができる。
（３）超音波チューブシーラー１を動脈側血液回路５４及び静脈側血液回路５５にはめ込むだけで容易に装着でき、動脈側血液回路５４及び静脈側血液回路５５の途中を短時間で容易にシール切断できるので操作性に優れ、誰でも容易に操作することができる。
（４）動脈側血液回路５４及び静脈側血液回路５５の切断口を完全に密封することができるので病原微生物等が混入する虞れがない。
（５）（３）により日常時に防災訓練を容易に行うことができる。
（６）避難後、血圧低下等のトラブルなど発生時には、動脈側血液回路５４及び静脈側血液回路５５のシール部分を清潔状態にしてカットし、そこに昇圧剤等の薬剤、場合によっては血液製剤を輸液・輸血セットを使い投与可能である。
（７）停電時にも補助電源１５により動脈側血液回路５４及び静脈側血液回路５５をシール切断することができる。
【図面の簡単な説明】
【図１】本発明の超音波チューブシーラー１の正面図
【図２】図１の天面図
【図３】図１の右側面図
【図４】図１の左側面図
【図５】図１のチューブ挿入口付近の拡大図
【図６】超音波チューブシーラー１のシール電極４付近のチューブをセットした状態の拡大図（（Ａ）は側面図、（Ｂ）は平面図）
【図７】超音波チューブシーラー１のシール電極４付近のチューブのシール中の状態の拡大図（（Ａ）は側面図、（Ｂ）は平面図）
【図８】超音波チューブシーラー１のシール電極４付近のチューブをシール後、切断する状態の拡大図（（Ａ）は側面図、（Ｂ）は平面図）
【図９】本発明の超音波チューブシーラー１のブロック図
【図１０】本発明の回路切断装置５１の概略図
【図１１】図１０のチューブシーラー付近の拡大図
【符号の説明】
１ 超音波チューブシーラー
２ シーラー本体
２Ａ 天面パネル
３ 駆動制御部
４ シール電極
４Ａ 可動電極
４Ｂ 固定電極
５ チューブ挿入口
６ シール表示灯
７ 起動スイッチ
８ セレクタスイッチ
９ 電源コネクタ
９Ｃ 電源コード
１０ 透明カバー
１１ チューブの識別標識
１２ 取付金具
１３ 固定金具
１４ 固定ネジ
１５ 補助電源
２１ 治具
２２ 内枠
２３ 外枠
２４  第一のロッド
２５ 切断刃
２６ 刃基
２７  第二のロッド
２８Ａ  第一の駆動手段
２８Ｂ  第二の駆動手段
５１ 回路切断装置
５３ 透析機械
５４ 動脈側血液回路
５５ 静脈側血液回路
６１ 動脈側シャント
６２ 静脈側シャント
６３ 起動信号ケーブル
６４ ナースカウンタ（集中管理室）
６６ 透析患者
６７ 透析患者用ベッド
６８ 透析器
【図１】
0004319329.tif 000002
【図２】
0004319329.tif 000003
【図３】
0004319329.tif 000004
【図４】
0004319329.tif 000005
【図５】
0004319329.tif 000006
【図６】
0004319329.tif 000007
【図７】
0004319329.tif 000008
【図８】
0004319329.tif 000009
【図９】
0004319329.tif 000010
【図１０】
0004319329.tif 000011
【図１１】
0004319329.tif 000012